(57)【特許請求の範囲】
【請求項１】
トランスポンダシステムの書き込み／読み出し機構（１）と前記トランスポンダシステムの少なくとも１つのトランスポンダ（２）との間の通信方法であって、
選択データブロック（ＳＤＢ）を、前記書き込み／読み出し機構（１）によって少なくとも１つのトランスポンダ（２）に送信するステップと、
送信された前記選択データブロック（ＳＤＢ）を、少なくとも１つのトランスポンダ（１）によって受信するステップと、
送信された前記選択データブロック（ＳＤＢ）の受信後、少なくとも１つのトランスポンダ（２）は、当該トランスポンダ（２）に対応し、所定のビット構成を有する識別データブロック（ＩＤＢ）を、送信された前記選択データブロック（ＳＤＢ）に応じて前記書き込み／読み出し機構（１）に送信するステップと、
送信された前記識別データブロック（ＩＤＢ）を前記書き込み／読み出し機構（１）によって受信するステップと、
前記書き込み／読み出し機構（１）において、前記トランスポンダ（２）に対応する識別データブロック（ＩＤＢ）の受信後、当該トランスポンダ（２）に対応すると共に所定のビット構成を有する受信通知データブロック（ＱＤＢ）を、受信した前記識別データブロック（ＩＤＢ）に応じて生成するステップと、
生成された前記受信通知データブロック（ＱＤＢ）を、前記書き込み／読み出し機構（１）によって、生成された前記受信通知データブロック（ＱＤＢ）が対応するトランスポンダ（２）に送信するステップと、
送信された前記受信通知データブロック（ＱＤＢ）を、当該受信通知データブロック（ＱＤＢ）が対応するトランスポンダ（２）によって受信するステップと、を含み、トランスポンダ（ＱＤＢ）に対応する受信通知データブロックは、当該トランスポンダ（２）に対応する識別データブロック（ＩＤＢ）に関連づけられる通信方法において、
前記書き込み／読み出し機構（１）においては、前記識別データブロック（ＩＤＢ）を受信した各トランスポンダに対して前記受信通知データブロック（ＱＤＢ）を生成し、前記受信通知データブロック（ＱＤＢ）のビット構成は、関連する前記トランスポンダ（２）に対応させてクロス冗長検査（ＣＲＣ８）により、初期アドレスを形成するビットアドレス（ＢＡ１）を含む前記識別データブロック（ＩＤＢ）の一部を、変化させて制御情報（ｋ１）を得て、当該制御情報（ｋ１）により前記識別データブロック（ＩＤＢ）から前記受信通知データブロック（ＱＤＢ）を生成して前記トランスポンダ（２）に送信し、
前記トランスポンダ（２）においては、２つのビットアドレス（ＢＡ１，ＢＡ２）によってそれぞれ決定される前記識別データブロック（ＩＤＢ）の２つの部分（ＰＡ１，ＰＡ２）によってメモリを駆動することによって、前記トランスポンダシステムにおける前記書き込み／読み出し機構（１）と特定のトランスポンダ（２）と間でのデータを通信することを特徴とする通信方法。
【請求項２】
前記書き込み／読み出し機構（１）において毎回生成される前記受信通知データブロック（ＱＤＢ）のビット構成は、当該書き込み／読み出し機構（１）が有するハッシュ値（ＨＶ）を使用して計算されることを特徴とする請求項１に記載の通信方法。
【請求項３】
前記書き込み／読み出し機構（１）と同様に、前記トランスポンダ（２）に対応する前記受信通知データブロック（ＱＤＢ）を所定のビット構成で当該トランスポンダ（２）により生成し、当該トランスポンダ（２）により生成した前記受信通知データブロック（ＱＤＢ）と、前記書き込み／読み出し機構（１）により生成されて当該トランスポンダ（２）に送信された前記受信通知データブロック（ＱＤＢ）とを比較し、少なくとも比較結果を表す制御情報（ｋ１）を生成することを特徴とする請求項１に記載の通信方法。
【請求項４】
前記トランスポンダ（２）で生成された前記受信通知データブロック（ＱＤＢ）の前記ビット構成は、前記トランスポンダが有するハッシュ値（ＨＶ）を使用して計算されることを特徴とする請求項３に記載の通信方法。
【請求項５】
トランスポンダシステムの少なくとも１つのトランスポンダ（２）と通信するよう構成されている前記トランスポンダシステムの書き込み／読み出し機構（１）であって、
選択データブロック（ＳＤＢ）を生成する選択データブロック生成手段（６）と、
少なくとも１つのトランスポンダ（２）に生成された前記選択データブロック（ＳＤＢ）を送信する送信手段（３０）と、
前記トランスポンダ（２）によって前記書き込み／読み出し機構（１）に送信される識別データブロック（ＩＤＢ）を、当該トランスポンダ（２）に送信されると共に当該トランスポンダ（２）に対応する前記選択データブロック（ＳＤＢ）に応じて受信する受信手段（３０）と、
受信した前記識別データブロック（ＩＤＢ）を処理する処理手段（３３，３４，３）と、
前記トランスポンダ（２）に対応すると共に特定のビット構成を有する受信通知データブロック（ＱＤＢ）を生成する受信通知データブロック生成手段（１０）と、
生成された前記受信通知データブロック（ＱＤＢ）に対応する前記トランスポンダ（２）に対して、生成された前記受信通知データブロック（ＱＤＢ）を送信する送信手段（３０）とから構成される書き込み／読み出し機構（１）において、
前記トランスポンダ（２）に対応する前記受信通知データブロック（ＱＤＢ）は、当該トランスポンダ（２）に対応する識別データブロック（ＩＤＢ）に関連づけられ、
前記受信通知データブロック生成手段は前記トランスポンダ（２）の各受信通知データブロック（ＱＤＢ）を生成するよう構成され、
前記受信通知データブロック（ＱＤＢ）のビット構成は、関連するトランスポンダ（２）に対応させてクロス冗長検査（ＣＲＣ８）により、初期アドレスを形成するビットアドレスを含む識別データブロック（ＩＤＢ）の一部を、変化させた制御情報（ｋ１）を得て、当該制御情報（ｋ１）により前記識別データブロック（ＩＤＢ）から前記受信通知データブロック（ＱＤＢ）を生成して前記トランスポンダ（２）に送信可能に構成されていることを特徴とする書き込み／読み出し機構。
【請求項６】
前記受信通知データブロック生成手段（１０）は受信した前記識別データブロックを記憶するメモリ（１１）を備え、記憶された前記識別データブロック（ＩＤＢ）の一部は前記書き込み／読み出し機構が有するハッシュ値に応じて前記メモリ（１１）から読み出すことが可能であり、前記受信通知データブロック生成手段（１０）は記憶された前記識別データブロック（ＩＤＢ）の読み出した一部を入力して記憶された前記識別データブロック（ＩＤＢ）の読み出した一部に相当する制御情報（ｋ１）を出力することが可能なＣＲＣ８段（１５）を備え、前記受信通知データブロック生成手段（１０）はＣＲＣ８段（１５）が出力した制御情報（ｋ１）によって決まるビット構成を有する前記受信データブロック（ＩＤＢ）を生成する生成段（１８）を備えることを特徴とする請求項５に記載の書き込み／読み出し機構。
【請求項７】
少なくとも１つの書き込み／読み出し機構（１）と通信するよう構成されている、トランスポンダシステムのトランスポンダ（２）であって、
前記書き込み／読み出し機構（１）によって送信された選択データブロック（ＳＤＢ）を受信する受信手段（４０）と、
受信した前記選択データブロック（ＳＤＢ）を処理する処理手段（５１，５９）と、
前記トランスポンダ（２）に対応する識別データブロック（ＩＤＢ）を、前記書き込み／読み出し機構（１）によって前記トランスポンダ（２）に送信された前記選択データブロックに応じて、前記書き込み／読み出し機構（１）に送信する送信手段（４０）と、
前記トランスポンダ（２）によって前記書き込み／読み出し機構（１）に送られた前記識別データブロック（ＩＤＢ）に従って前記書き込み／読み出し機構（１）によって前記トランスポンダ（２）に送信され、前記トランスポンダ（２）に対応する特定のビット構成を有する受信通知データブロック（ＱＤＢ）を受信する受信手段（４０）と、
受信した前記受信通知データブロック（ＱＤＢ）を処理する処理手段（５１，６０）と、から構成され、
前記トランスポンダ（２）は、
当該トランスポンダ（２）に対応する前記受信通知データブロック（ＱＤＢ）を生成する生成手段（９２）と、
前記生成手段（９２）により生成された前記受信通知データブロック（ＱＤＢ）内で前記識別データブロック（ＩＤＢ）の２つの部分（ＰＡ１，ＰＡ２）の何れかを決定するための２つのビットアドレス（ＢＡ１，ＢＡ２）を、受信された前記受信通知データブロック（ＱＤＢ）の部分（ＰＡ１）と比較する比較手段（６８）と、
比較の結果一致した前記部分（ＰＡ１）を含む前記識別データブロック（ＩＤＢ）を送信する送信手段（４０）と、
を備えると共に、
これにより、前記書き込み／読み出し機構（１）のビットアドレス（ｋ１）が関連するトランスポンダ（２）のビットアドレス（ｋ１）と一致したときに、前記トランスポンダシステムにおける前記書き込み／読み出し機構（１）と前記関連するトランスポンダ（２）との間の通信を可能にすることを特徴とするトランスポンダ。
【請求項８】
前記生成手段（９２）は前記識別データブロック（ＩＤＢ）を記憶するメモリ（４６）を有し、記憶された前記識別データブロック（ＩＤＢ）の一部（ＰＭ１）は前記トランスポンダ（２）が有するハッシュ値（ＨＶ）に応じて前記メモリ（４６）から読み出すことが可能であると共に、前記生成手段は（９２）、記憶された前記識別データブロック（ＩＤＢ）の読み出された一部（ＰＭ１）を入力し、記憶された前記識別データブロック（ＩＤＢ）の読み出した一部（ＰＭ１）に相当する制御情報（ｋ１）を出力することが可能であるＣＲＣ８段（７４）を有し、前記生成手段（９２）は、前記ＣＲＣ８段（７４）が出力した制御情報（ｋ１）によって決まるビット構成を有する受信通知データブロック（ＱＤＢ）を生成する生成段（８７）を有することを特徴とする請求項７に記載のトランスポンダ。
【請求項９】
少なくとも１つの書き込み／読み出し機構（１）と通信するよう構成されているトランスポンダ（２）の集積回路（４２）であって、
前記書き込み／読み出し機構（１）によって送信された選択データブロック（ＳＤＢ）を受信する受信接続手段（４３）と、
受信した前記選択データブロック（ＳＤＢ）を処理する処理手段（５１，５９）と、
前記集積回路（４２）に対応する識別データブロック（ＩＤＢ）を、前記書き込み／読み出し機構（１）によって前記集積回路（４２）に送信された前記選択データブロック（ＳＤＢ）に応じて、前記書き込み／読み出し機構（１）に出力する出力接続手段（４３）と、
前記書き込み／読み出し機構（１）に送信された前記識別データブロック（ＩＤＢ）に応じて前記書き込み／読み出し機構（１）により前記集積回路（４２）に送信され、前記集積回路（４２）に対応すると共に特定のビット構成を有する受信通知データブロック（ＱＤＢ）を受信する受信手段（４３）と、
受信した前記受信通知データブロック（ＱＤＢ）を処理する処理手段（５１，６０）とから構成され、
前記集積回路（４２）は、当該集積回路（４２）に対応する受信通知データブロック（ＱＤＢ）を生成する生成手段（９２）と、
生成された前記受信通知データブロック（ＱＤＢ）内で前記識別データブロック（ＩＤＢ）の２つの部分（ＰＡ１，ＰＡ２）の何れかを決定するための２つのビットアドレス（ＢＡ１，ＢＡ２）を、受信された前記受信通知データブロック（ＱＤＢ）の一部（ＰＡ１）と比較する比較手段（６８）と、
比較の結果一致した前記部分（ＰＡ１）を含む前記識別データブロック（ＩＤＢ）を送信する送信手段（４０）と、
を備えると共に、
これにより、前記書き込み／読み出し機構（１）のビットアドレス（ｋ１）が関連するトランスポンダ（２）のビットアドレス（ｋ１）と一致したときに、前記トランスポンダシステムにおける前記書き込み／読み出し機構（１）と前記関連するトランスポンダ（２）との間の通信を可能にすることを特徴とする集積回路。
【請求項１０】
前記生成手段（９２）は前記識別データブロック（ＱＤＢ）を記憶するメモリ（４６）を備え、記憶されている前記識別データブロック（ＱＤＢ）の一部（ＰＡ１）は前記集積回路（４２）が有するハッシュ値（ＨＶ）に応じて前記メモリ（４６）から読み出すことが可能であり、前記生成手段（９２）は記憶されている識別データブロックの読み出した一部を入力し、記憶されている前記識別データブロック（ＱＤＢ）の一部（ＰＡ１）に相当する制御情報（ｋ１）を出力することが可能なＣＲＣ８段（７４）を備えると共に前記生成手段（９２）は前記ＣＲＣ８段（７４）が出力した制御情報（ｋ１）によって決まるビット構成を有する受信通知データブロックを生成する生成段（８７）を備えることを特徴とする請求項９に記載の集積回路。
【発明の詳細な説明】
【０００１】
（技術分野）
本発明は、トランスポンダシステムの書き込み／読み出し機構とトランスポンダシステムの少なくとも一つのトランスポンダとの間の通信方法に関するものである。選択データブロックは書き込み／読み出し機構によって少なくとも一つのトランスポンダに送信され、送信されたデータブロックは少なくとも一つのトランスポンダによって受信される。また送信された選択データブロックの受信後、少なくとも１つのトランスポンダは、送信された選択データブロックに応じて、このトランスポンダに関連し、またあるビット構成を有する識別データブロックを書き込み／読み出し機構に送信する。送信された識別データブロックは書き込み／読み出し機構によって受信される。書き込み／読み出し機構でトランスポンダに対応する識別データブロックを受信した後、このトランスポンダに対応し、またあるビット構成を有する受信通知データブロックが、受信した識別データブロックに応じて生成される。また、生成された受信通知データブロックは、書き込み／読み出し機構によって、生成された受信通知データブロックが対応するトランスポンダに送信され、更に送信された受信通知データブロックは、受信通知データブロックが対応するトランスポンダによって受信される。トランスポンダに対応する受信通知データブロックは、このトランスポンダに対応する識別データブロックに関連している。
【０００２】
また本発明は、トランスポンダシステムの少なくとも１つのトランスポンダと通信するよう構成されており、選択データブロックを生成する生成段と、生成された選択データブロックを少なくとも１つのトランスポンダに送信する送信手段と、このトランスポンダに送信された選択データブロックに応じて、トランスポンダによって書き込み／読み出し機構に送信され、このトランスポンダに対応する識別データブロックを受信する受信手段と、受信した識別データブロックを処理する処理手段と、トランスポンダに対応し、かつあるビット構成を有する受信通知データブロックを生成する生成手段と、生成された受信通知データブロックが対応するトランスポンダに生成された受信通知データブロックを送信する送信手段とから構成されるトランスポンダシステムの書き込み／読み出し機構に関連し、またトランスポンダに対応する受信通知データブロックは、このトランスポンダに対応する識別データブロックに関連している。
【０００３】
また本発明は、少なくとも１つの書き込み／読み出し機構と通信するよう構成され、書き込み／読み出し機構によって送信される選択データブロックを受信する受信手段と、受信選択データブロックを処理する処理手段と、トランスポンダに対応する識別データブロックを、書き込み／読み出し機構によってトランスポンダに送信された選択データブロックに応じて送信する送信手段と、書き込み／読み出し機構に送信された識別データブロックに応じて、書き込み／読み出し機構によってトランスポンダに送信され、トランスポンダに対応し、あるビット構成を有する受信通知データブロックを受信する受信手段と、受信された受信通知データブロックを処理する処理手段とから構成されるトランスポンダシステムのトランスポンダに関連する。
【０００４】
更に本発明は、少なくとも１つの書き込み／読み出し機構と通信するよう構成されているトランスポンダの集積回路に関し、この集積回路は、書き込み／読み出し機構によって送信された選択データブロックを受信する受信接続手段と、受信した選択データブロックを処理する処理手段と、書き込み／読み出し機構によって上記回路に送信された選択データブロックに応じて、上記回路に対応する識別データブロックを書き込み／読み出し機構に出力する出力接続手段と、書き込み／読み出し機構に送信された識別データブロックに応じて、書き込み／読み出し機構によって上記回路に送信され、上記回路に対応し、所定のビット構成を有する受信通知データブロックを受信する受信手段と、受信した受信通知データブロックを処理する処理手段とから構成される。
【０００５】
（背景技術）
第１段落に示す種類の方法、第２段落に示す種類の書き込み／読み出し機構、第３段落に示す種類のトランスポンダ、第４段落に示す種類の集積回路は、例えば特許文献ＵＳＰＮｏ．５，５３９，３９４Ａにより公知である。引用特許文献は、タイムスロットシーケンスの連続するタイムスロットで書き込み／読み出し機構と複数のトランスポンダとの間での通信を行うトランスポンダについて説明しており、書き込み／読み出し機構とトランスポンダとの間の通信は、単一のトランスポンダのみが各タイムスロットに対応している場合に、実際に単独で行われる。これは、単一のトランスポンダがその対応する識別データブロックをタイムスロットで書き込み／読み出し機構に送信、すなわち１つのタイムスロットにおいて複数のトランスポンダからの複数の識別データブロック間で競合が生じない場合である。既知のトランスポンダシステムでは、書き込み／読み出し機構が、１つのタイムスロットで対応する識別データブロックを書き込み／読み出し機構に送信した各単独のトランスポンダに受信通知データブロックを送信するので、各トランスポンダには書き込み／読み出し機構が関連するトランスポンダを正しく認識して選択したことが知らされる。引用特許文献ＵＳ５，５３９，３９４Ａに記載されているように、トランスポンダに対応する各受信通知データブロックの送信は、トランスポンダがその識別データブロックを書き込み／読み出し機構に送信したのと同じタイムスロットで行われる。この場合、各受信通知データブロックのビット構成は同一であり、所定数の“０”ビットまたは“１”ビット、例えば合計８個の“０”ビットを有する１バイト等で構成されることがあるが、自身の受信通知データブロックは各トランスポンダに対応していない。引用特許文献ＵＳＰ５，５３９，３９４Ａは、各タイムスロットで書き込み／読み出し機構がトランスポンダに送信する受信通知データブロックのビット構成については詳しく述べていない。
【０００６】
引用特許文献ＵＳ５，５３９，３９４Ａには、書き込み／読み出し機構から選択されたトランスポンダへの受信通知の転送の別の可能性についても述べられている。この第２の可能性とは、複数のタイムスロットから構成されるタイムスロットシーケンスの終わりに受信通知が行われ、またこのようなタイムスロットシーケンスの終わりに、前のタイムスロットシーケンスのタイムスロットで対応する識別データブロックを書き込み／読み出し機構に送信した単一のトランスポンダのグループ受信通知データブロックとそれに続く全ての識別データブロックが、書き込み／読み出し機構によってこれらのトランスポンダに送信されることである。従って、各トランスポンダに対し、書き込み／読み出し機構はあるトランスポンダのみに対応する受信通知だけをこのトランスポンダに送信することが可能となるが、トランスポンダに対応する各受信通知は、関連するトランスポンダのグループ受信通知データブロックと全体的な識別データブロックとから構成される。その結果、既知のトランスポンダシステムの各受信通知のデータブロック長さが長くなってしまい、書き込み／読み出し機構と複数の選択されたトランスポンダとの間の通信時間を可能な限り短くするという点と、書き込み／読み出し機構からトランスポンダへの受信通知送信の変調工程数を可能な限り減らすという点からは好ましくない。変調工程数が比較的多くなってしまうと、変調キャリア信号を使用する送信で発生するキャリア信号の側波帯のレベルに悪影響を及ぼすので、変調工程数をできるだけ減らすことは常に好ましいことである。これは、変調工程数が比較的多くなると、側波帯のレベルが高くなってしまい、これらの側波帯の最大許容レベルを規定する公認規則および規定を設けている多数の国々で競合が生じてしまうからである。
【０００７】
（発明の開示）
本発明の目的は、上記の問題を回避し、改良された方法、改良された書き込み／読み出し機構、改良されたトランスポンダ、改良された集積回路を提供することにある。
【０００８】
上記の目的を達成するために、本発明の第１段落に示す種類の方法は、書き込み／読み出し機構において、識別データブロックを受信した各トランスポンダについて受信通知データブロックを生成し、関連するトランスポンダに対応する識別データブロックの一部のみを使用しながら上記受信通知データブロックのビット構成を形成することを特徴とする。
【０００９】
また、上記の目的を達成するために、本発明の第２段落に示す種類の書き込み／読み出し機構は、生成手段がトランスポンダの各受信通知データブロックを生成するよう構成され、関連するトランスポンダに対応する識別データブロックの一部のみを使用しながら上記受信通知データブロックのビット構成を形成することを特徴とする。
【００１０】
また、上記の目的を達成するために、本発明の第３段落に示す種類のトランスポンダは、トランスポンダに対応する受信通知データブロックを生成する生成手段と、生成手段によって生成された受信通知データブロックおよび書き込み／読み出し機構によって送信されトランスポンダによって受信された受信通知データブロックを受け、比較結果を表す少なくとも制御情報を出力可能な比較手段とから構成されることを特徴とする。
【００１１】
また、上記の目的を達成するために、本発明の第４段落に示す集積回路は、上記回路に対応する受信通知データブロックを生成する生成手段と、生成手段によって生成された受信通知データブロックおよび書き込み／読み出し機構によって送信され上記回路によって受信された受信通知データブロックを受け、比較結果を表す少なくとも制御情報を出力可能な比較手段とから構成されることを特徴とする。
【００１２】
簡易な手段のみを使用しているので、本発明の工程により、本発明のトランスポンダの選択を認識するために、関連するトランスポンダにのみ対応する受信通知データブロックを本発明の書き込み／読み出し機構から本発明の関連するトランスポンダに送信することができる。これはデータブロック長さが短い受信通知データブロックによって可能になるので、通信時間または送信時間を可能な限り短縮し、また送信の変調工程数を可能な限り減少させるという点において有利である。
【００１３】
本発明の上記およびその他の特徴は、以下に述べる実施例より明らかになるであろう。
【００１４】
（発明を実施するための最良の形態）
以下、図面に示す実施例に基づいて本発明を詳細に説明するが、本発明はこれに限定されるものではない。
【００１５】
図１はトランスポンダシステムの書き込み／読み出し機構１の一部を示すブロック図であり、この書き込み／読み出し機構１を以下省略して機構１と呼称する。機構１はこのようなトランスポンダシステムの複数のトランスポンダ２と通信するよう配置かつ構成されている。図２はこのようなトランスポンダ２を示しており、これを以後データキャリア２と呼称する。
【００１６】
ちなみに、機構１とデータキャリア２との間の通信に関しては、データブロックＤＢの形式でこのような通信が行われ、また各データブロックＤＢは所定数のバイトで構成されている。各バイトは所定数のビットから成り、この場合は８ビットで構成されている。命令データブロックは、機構１とデータキャリア２との間の通信中に、機構１からデータキャリア２へ送信することが可能である。ここでは１つの命令データブロック、すなわち選択データブロックＳＤＢについてのみ詳細に述べる。機構１はまた、他の命令データブロック、例えば読み出しデータブロック、書き込みデータブロック、終了データブロックをデータキャリア２に送信することが可能であるが、これらのデータブロックについてはここでは説明しない。
【００１７】
選択データブロックＳＤＢは、選択命令コード、機構１が有するハッシュ値ＨＶ、所定数のタイムスロットＴＳに関する情報を有しており、また間接的ではあるがこれらのタイムスロットＴＳの情報も有している。単一のデータキャリア２、または複数のデータキャリア２は、選択データブロックＳＤＢにより複数のデータキャリア２から選択することができる。
【００１８】
また機構１は、機構１とデータキャリア２の通信中に、受信通知データブロックＱＤＢを生成することが可能である。機構１はまず受信通知データブロックＱＤＢを使用して、データキャリア２から機構１に送信した識別データブロックＩＤＢを機構１が適切に受信したことをデータキャリア２に知らせ、次に、例えば読み出しデータブロック、書き込みデータブロック、または終了データブロックなどのデータキャリア２に前回送信した命令データブロックに対応する命令がデータキャリア２によって実行されることを知らせる。受信通知データブロックＱＤＢは、例えば所定の不変ビット構成または所定の不変ビットパターンを有するデータブロックとして構成してもよい。しかし、関連するデータキャリアにのみ対応し、そのビット構成が関連するデータキャリア２から機構１に送信されて特徴として関連するデータキャリア２に対応する識別データブロックＩＤＢに関連する受信通知データブロックＱＤＢを、各データキャリア２に対して生成すると非常に有利である。以下、この局面について詳細に説明する。
【００１９】
機構１とデータキャリア２の通信中、データキャリア２は機構１に識別データブロックＩＤＢを送信する。識別データブロックＩＤＢは重要であり、関連するデータキャリア２の特徴を示す。各データキャリア２は、このキャリアのために確保され、一回のみ発せられる識別データブロックＩＤＢを有している。例えば、このような識別データブロックＩＤＢでいわゆる連続番号を表すこともできる。
【００２０】
機構１の構成を、図１を参考にして以下詳細に説明する。
【００２１】
機構１は複数のルーチンと機能を制御する順序付け手段を有しており、ここでは重要なルーチンと機能についてのみ詳細に説明する。
【００２２】
また機構１は、１３．５６ＭＨｚの周波数を有するクロック信号ＣＬＫを生成するクロック信号生成器４を有している。クロック信号ＣＬＫは、接続５を介して順序付け手段３に送られる。
【００２３】
機構１は、命令データブロックを生成、すなわち選択データブロックＳＤＢ、読み出しデータブロック、書き込みデータブロック、および終了データブロックを生成するよう構成されている第１生成段６も有している。第１生成段６は、接続７を介して順序付け手段３によって制御される。第１生成段６には、順序付け手段３に含まれ、ブロック９として図示されるいわゆるハッシュ値ＨＶが別の接続８を介して送られる。ハッシュ値ＨＶは生成された各選択データブロックＳＤＢに累積されるので、機構１と通信中のデータキャリアに選択データブロックＳＤＢと共に送信される。
【００２４】
機構１はまた、毎回受信通知データブロックＱＤＢを生成するよう構成されている生成手段１０を有している。生成手段１０は、データキャリア２によって送信され、機構１が受信した識別データブロックＩＤＢを保存するメモリ１１を有している。識別データブロックＩＤＢは、例えば合計８バイトで構成されており、また各バイトは８ビットから成る。受信した識別データブロックは接続１２を介して順序付け手段３からメモリ１１に送ることができる。メモリ１１はまた、別の接続１３を介して順序付け手段３によっても制御される。ハッシュ値ＨＶに相当し、メモリ１１に記憶されている識別データブロックＩＤＢの部分ＰＭ１の初期アドレスを形成するビットアドレスＢＡ（ＨＶ）１は、接続１３を介してメモリ１１に送られる。この場合、ビットアドレスＢＡ（ＨＶ）１は、ハッシュ値によって直接形成される。このようなビットアドレスを「ポインタ」と呼称することが多い。ハッシュ値ＨＶによって決定される識別データブロックＩＤＢのＰＭ１部分は、ビットアドレスＢＡ（ＨＶ）１を使用し、接続１３を介してメモリ１１を制御することによって、接続１４を通して出力される。
【００２５】
また機構１の生成手段１０は、いわゆるＣＲＣ８段１５を有している。ちなみに、ＣＲＣ８は「相互冗長検査（クロスリダンダンシーチェック）」の略語である。ＣＲＣ８段１５は、接続１６を介して順序付け手段３によって制御される。ＣＲＣ８段１５は、接続１４を介して識別データブロックＩＤＢの部分ＰＭ１を受信することができる。ＣＲＣ８段１５に送られる部分ＰＭ１はＣＲＣ８段１５によって変化させられ、この変化が行われている間にＣＲＣ８段１５によって実現されるアルゴリズムが実行され、この後ＣＲＣ８段の出力１７で所定の値ｋ１を得ることができる。この値は、記憶されている識別データブロックＩＤＢの読み出し部分ＰＭ１に相当する制御情報を構成する。
【００２６】
更に、生成手段１０は、所定のビット構成を有する各受信通知データブロックＱＤＢを生成する第２生成段１８も有している。第２生成段１８は、接続１９を介して順序付け手段３により制御される。また、第２生成段１８は、後で詳述するように、別の接続２０を介してタイムスロットカウンタ２１によっても制御される。更に、第２生成段１８には、ＣＲＣ８段１５の出力１７を経て送信される値ｋ１である制御情報が接続２２を介して送られる。第２生成段１８は、合計数Ｎのタイムスロットの中の所定のタイムスロットＴＳ（１…ｎ…Ｎ）において、接続２０を介してタイムスロットカウンタ２１によって起動される。第２生成段１８が起動すると、制御情報としての値Ｋ１出力によって決まるビット構成を有する受信通知データブロックＱＤＢがＣＲＣ８段１５によって生成されるようになる。そのため、毎回生成される受信通知データブロックＱＤＢは、データキャリア２に対応する識別データブロックＩＤＢのＰＭ部分のみを使用して生成されるビット構成を有することになる。この識別データブロックＩＤＢは毎回メモリ１１に記憶され、またその部分ＰＭ１はＣＲＣ８段１５に送られて、値ｋ１によって形成される制御情報を生成するよう処理される。生成手段１０によって毎回生成される受信通知データブロックＱＤＢは、生成手段１０の第２生成段１８によって接続２３を介して出力される。第１生成段９によって毎回出力される選択データブロックＳＤＢも、接続２３を介して出力される。
【００２７】
機構１はまた、タイムスロット決定手段を構成し、それぞれが連続する所定数のタイムスロットＴＳから成るタイムスロットシーケンスの各タイムスロットＴＳ（１…ｎ…Ｎ）を決定することのできる上記のタイムスロットカウンタ２１も含んでいる。例えば、タイムスロットシーケンスは、１，４，８，１６，３２，６４，１２８あるいは２５６個のタイムスロットで構成することができる。タイムスロットカウンタ２１は、接続２４を介して順序付け手段３によって制御される。クロック信号ＣＬＫは、接続２５を経てタイムスロットカウンタ２１に送られる。タイムスロットカウンタ２１の上記当内容１．．．ｎ．．．Ｎは、接続２０を介して生成手段１０の第２生成段１８に送られる。
【００２８】
機構１はまた、生成手段１０によって毎回生成される選択データブロックＳＤＢや受信通知データブロックＱＤＢなどの第１生成段６が生成する命令データブロックが送られ、送られてくるデータブロックのコード化を行うコード化手段２６も有している。コード化手段２６は、接続２７を介して順序付け手段３によって制御される。
【００２９】
コード化データブロックが送信される変調手段２７は、コード化手段２６に接続されている。この場合、変調手段２７は、キャリア信号ＣＳが送信され、コード化手段２６が送信したコード化データブロックに基づいてキャリア信号ＣＳの振幅変調を行う振幅変調手段によって形成されている。振幅変調手段２７は、１０％振幅変調（ＡＳＫ１０％）を実行し、また振幅変調キャリア信号ＣＳＭを出力するよう構成されている。
【００３０】
機構１は、キャリア信号ＣＳを生成するキャリア信号生成器２８を有している。この生成器は接続２９を介してクロック信号ＣＬＫを受信し、クロック信号ＣＬＫに基づいてキャリア信号を生成する。この場合、キャリア信号の周波数も１３．５６ＭＨｚである。
【００３１】
変調手段２７には、変調手段２７によって出力された振幅変調キャリア信号ＣＳＭをデータキャリア２内の受信手段に誘導的に送信する送信コイル３１を含む送信／受信手段３０が接続されている。従って、送信／受信手段３０は送信手段を構成している。
【００３２】
また送信／受信手段３０は同時に、データキャリア２によって機構１に誘導的に送信された信号を受信する受信手段も構成している。このような信号は、接続３２を介して機構１の復調手段３３に送られる。この場合、キャリア２から機構１への誘導データ送信は、キャリア信号ＣＳのいわゆる負荷変調による既知の方法で行われるので、復調手段３３は負荷変調キャリア信号ＣＳＢを復調するよう構成されている。
【００３３】
復調手段３３には、受信したデータブロックをデコードするデコード化手段３４が接続されている。デコード化手段３４は、接続３５を介して順序付け手段３によって制御される。デコード化手段３４が出力するデコード化識別データブロックＩＤＢは接続３６を介して順序付け手段３に送られ、順序付け手段３によって更に処理、特に順序付け手段３によって生成手段１０のメモリ１１に記憶される。
【００３４】
順序付け手段３によって制御される競合検出手段３７は、接続３８を介してデコード化手段３４に接続されている。競合検出手段３７は２つの識別データブロックＩＤＢの競合を検出するよう構成されているので、このような競合はビット基準で検出される。識別データブロックＩＤＢのこのような競合は、同一のタイムスロットで複数の識別データブロックＩＤＢが機構１で受信されるときに生じやすい。競合検出手段３７がこのような識別データブロックＩＤＢの競合を検出すると、競合情報ＣＩが接続３９を介して順序付け手段３に送られるので、順序付け手段３は適切な制御動作を行うことが可能である。
【００３５】
以下、データキャリア２の構成を、図２に示すデータキャリア２に基づいて詳細に説明する。
【００３６】
図１に示すような機構１などの少なくとも１つの書き込み／読み出し機構とコンタクトレス通信を行うデータキャリア２は、送信コイル４１を含み、データブロックを受信する受信手段とデータブロックを送信する送信手段を構成する受信／送信手段４０を有する。
【００３７】
データキャリア２は、この場合特に重要である部分のみを示す図２の回路４２を有する。回路４２は集積回路として構成されている。回路４２は、共に受信／送信手段４０に接続される第１端子４３および第２端子４４を有している。この場合、端子４３および端子４４は、受信／送信手段４０によって受信されるデータブロックを受信する受信接続手段と、受信／送信手段４０によって送信されるデータブロックを出力する出力接続手段を形成している。
【００３８】
回路４２は、データキャリア２の複数のルーチンと機能を制御する順序付け手段４５を含んでいる。しかし、この例に関連するルーチンと機能のみについて以下に詳細に説明する。
【００３９】
回路４２はまた、データキャリア２を特徴付ける識別データブロックＩＤＢを記憶するためのメモリ４６も有している。識別データブロックＩＤＢは、例えばそれぞれが８ビットからなる合計８バイトで構成されている。メモリ４６は、メモリ４６に記憶されている識別データブロックＩＤＢを接続４８を介して出力するように、接続４７を通して順序付け手段４５によって制御される。
【００４０】
またメモリ４６は、別の接続４９を介して順序付け手段４５によっても制御される。メモリ４６には接続４９を介して２つのビットアドレスＢＡ（ＨＶ）１およびＢＡ（ＨＶ）２が送られ、各ビットアドレスはハッシュ値ＨＶに相当し、メモリ４６に記憶されている識別データブロックＩＤＢのＰＭ１およびＰＭ２部分の初期アドレスを形成している。この場合、第１ビットアドレスＢＡ（ＨＶ）１はハッシュ値ＨＶによって直接構成されている。第２ビットアドレスＢＡ（ＨＶ）２は、例えば数値「８」をハッシュＨＶに付加することにより形成される。選択データブロックＳＤＢを使用して図１の機構１からデータキャリア２にハッシュ値ＨＶが送信されるので、機構１に存在するハッシュ値ＨＶとデータキャリア２に存在するハッシュ値は同一となる。与えられた各ビットアドレスＢＡ（ＨＶ）１またはＢＡ（ＨＶ）２によって決定される識別データブロックＩＤＢのＰＭ１またはＰＭ２の部分は、２つのビットアドレスＢＡ（ＨＶ）１およびＢＡ（ＨＶ）２の内何れかを使用して接続４９を介してメモリ４６を駆動することにより、接続５０を介して出力される。
【００４１】
データキャリア２は、第１端子４３に接続される振幅復調手段を構成し、機構１によって送信された振幅変調キャリア信号ＣＳＭを好適に復調する復調手段５１を有している。復調手段５１は、データキャリア２に送信されたデータブロックＤＢを、復調されてはいるがコード化されたままの状態で出力５２を介して出力する。
【００４２】
データキャリア２はまた、第１端子４３に接続されているクロック信号再生手段５３を有している。クロック信号再生手段５３は受信した振幅変調キャリア信号ＣＳＭからクロック信号ＣＬＫを再生するので、データキャリア２および変調キャリア信号ＣＳＭを送信する機構１でクロック信号ＣＬＫを使用できる。再生クロック信号ＣＬＫは、接続５４を介して順序付け手段４５に送られる。
【００４３】
更にデータキャリア２は、第１端子４３に接続され、振幅変調キャリア信号ＣＳＭを使用して、回路４２全体に供給されるＤＣ供給電圧Ｖを生成するＤＣ電圧生成手段５５を含んでいる。ちなみに、ＤＣ電圧生成手段５５は供給電圧Ｖが過剰に生成されることを既知の方法で防止する電圧制限手段を備えている。
【００４４】
リセット信号生成手段５７は接続５１を介してＤＣ電圧生成手段５５に接続され、ＤＣ供給電圧Ｖが発生したときにリセット信号ＲＳを生成する。この場合、データキャリア２が機構１と通信状態になると、リセット信号はいわゆる「パワーオンリセット」を開始することが可能になる。リセット信号ＲＳは接続５８を介して順序付け手段４５に送られる。
【００４５】
データキャリア２は、復調手段５１の出力５２を介して出力されるコード化データブロックのデコード化を行う一連のデコード化手段を有しており、このようなデコード化手段を２つ以上は示していない。これらの手段は、選択データブロックＳＤＢをデコード化する第１デコード化手段５９と、受信通知データブロックＱＤＢのデコード化を行う第２デコード化手段６０である。デコード化手段５９および６０の入力は、復調手段５１の出力５２に接続されている。第１デコード化手段５９は接続６１を介して順序付け手段４５によって制御され、また第２デコード化手段６０は接続６２を介して順序付け手段４５によって制御される。デコード化手段５９および６０の出力は接続６３および６４を介して順序付け手段４５に接続されているので、デコード化データブロックＳＤＢおよびＱＤＢが順序付け手段４５に送られて更に処理される。
【００４６】
第１デコード化手段５９の出力には、接続６６を介して順序付け手段３５によって制御される検出手段６５が接続されている。検出手段６５は、データキャリア２に送信された選択データブロックＳＤＢに含まれるハッシュ値ＨＶを検出するよう配置および構成されている。検出手段６５によって検出されたハッシュ値ＨＶは、検出手段６５により接続６７を介して順序付け手段４５に出力され、順序付け手段４５で更に処理される。
【００４７】
第２デコード化手段６０の出力には、接続６９を介して順序付け手段４５により制御されるテスト手段６８が接続されている。テスト手段６８は、機構１により送信され、またデータキャリア２で受信された受信通知データブロックＱＤＢの有効性をテストするよう構成されている。この場合、テスト手段６８は比較手段として構成されている。受信した受信通知データブロックＱＤＢが有効な受信通知データブロックＱＤＢとして認識されると、テスト手段６８は「受信通知有効」信号ＱＶを生成して、これを接続７０を介して順序付け手段４５に送って更に処理を行う。
【００４８】
データキャリア２の回路４２はコード化手段７１を更に有しており、このコード化手段７１の入力には接続４８が接続されている。コード化手段７１は、接続７２を介して順序付け手段４５によって制御される。コード化手段７１は、メモリ部４６から読み出した識別データブロックＩＤＢと、図示されていない別のメモリから読み出したデータブロックをコード化することが可能である。コード化手段７１によるコード化が終了すると、コード化データブロックは変調手段７３に送られる。変調手段７３では、補助キャリア信号はコード化データブロックに基づいて既知の方法で変調され、その後変調補助キャリア信号が第１端子４３から受信／送信手段４０に送られて、誘導的に機構１に送信される。
【００４９】
データキャリア２の回路４２は、接続７５を介して順序付け手段４５によって制御されるいわゆるＣＲＣ８段７４を更に有している。ＣＲＣ８段７４は、検出手段６５で検出され、順序付け手段４５によって供給されたハッシュ値ＨＶに基づいて、順序付け手段４５によってメモリ４６から読み出される識別データブロックＩＤＢの毎回選択される部分ＰＭ１またはＰＭ２を接続５０を介して受信することができる。毎回ＣＲＣ８段７４に送られるＰＭ１またはＰＭ２部分はＣＲＣ８段７４によって変化され、この動作の間にＣＲＣ８段７４によって実現されるアルゴリズムが実行され、その後ＣＲＣ８段７４の出力で所定値ｋ１またはｋ２が得られる。数値ｋ１およびｋ２は、ＣＲＣ８段７４によって変化されたＰＭ１またはＰＭ２の部分によってそれぞれ決定される。後に詳細に説明するように、数値ｋ１は受信通知データブロックＱＤＢの生成に使用される。数値ｋ２は、接続７７を介して順序付け手段４５によって制御されるタイムスロットレジスタ７６に記憶される。
【００５０】
データキャリア２の回路４２は、接続７９を介して順序付け手段４５によって制御されるタイムスロットカウンタ７８を更に備えている。タイムスロットカウンタ７８はタイムスロット決定手段を構成する。タイムスロットカウンタ７８は、できる限り繰り返し連続的に使用されるタイムスロットシーケンスの各タイムスロットＴＳ（１…ｎ…Ｎ）を決定するよう構成されている。各タイムスロットシーケンスは、所定数Ｎの連続するタイムスロットＴＳから成る。タイムスロットカウンタ７８によって決定される数値Ｎ、およびタイムスロットシーケンスの連続するタイムスロットＴＳの長さは、常に機構１のタイムスロットカウンタ２４によって決定されるタイムスロットシーケンスのタイムスロットＴＳの数と長さに対応している。タイムスロットカウンタ７８には、接続５４から分岐する別の接続８０を介して、クロック信号再生手段５３によって再生されるクロック信号が送られる。タイムスロットカウンタ７８は、再生クロック信号ＣＬＫに基づいて連続するタイムスロットシーケンスの各タイムスロットＴＳを決定する。タイムスロットカウンタ７８の関連する内容１…ｎ…Ｎはタイムスロットカウンタ７８から接続８１を介して順序付け手段４５に送られるので、関連する内容を使用して順序付け手段３５で制御を行うことが出来る。
【００５１】
データキャリア２の回路４２は、接続８３を介して順序付け手段４５によって制御される比較器８２を有している。比較器８２には、接続８４を介してタイムスロットレジスタ７６の内容ｋ２と、また接続８１から分岐している接続８５を介してタイムスロット７８の内容１…ｎ…Ｎとが送られる。比較器８２は受信した内容ｋ２と１…ｎ…Ｎを比較し、受信した内容が一致する場合には、接続８６を介して順序付け手段４５に比較器信号ＣＯＳを出力する。キャリア２と機構１との間の通信は、比較器信号ＣＯＳに基づいて所定のタイムスロットＴＳ、すなわち数値ｋ２によって決まるタイムスロットＴＳ（ｋ２）において行うことが可能となる。
【００５２】
データキャリア２の回路４２は、受信通知データブロックＱＤＢを生成する生成段８７を更に備えている。生成段８７は、接続８８を介して順序付け手段４５により制御される。生成段８７には、ＣＲＣ８段７４で生成された数値ｋ１である制御情報が接続８９を介して送られる。生成段８７は、ＣＲＣ８段による制御情報としての値ｋ１出力で決定されるビット構成を有する受信通知データブロックＱＤＢを適切に生成するよう構成されている。生成段８７で生成された受信通知データブロックＱＤＢは、比較手段として構成されているテスト手段６８に接続されている接続９０を介して出力される。従って、比較手段として構成されているテスト手段６８には、生成段８７によって生成された受信通知データブロックＱＤＢと、機構１により送信されて回路４２で受信し、また第２デコード化手段６０によってデコード化された受信通知データブロックＱＤＢとが送られる。テスト手段６８は２つの受信通知データブロックＱＤＢを比較し、２つの受信通知データブロックＱＤＢが一致する場合には、テスト手段６８は「受信通知有効」信号ＱＶを出力する。この信号ＱＶは、接続７０を介して順序付け手段４５に送られる。
【００５３】
第１デコード化手段５９は、選択動作を開始するために機構１によって送信され、また端子４３を介して受信される選択データブロックＳＤＢを処理、すなわちデコード化するよう構成されている第１処理手段を備えている。選択データブロックにより、複数のデータキャリア２の中から単一のデータキャリア２を選択することができる。
【００５４】
コード化手段７１は、第１デコード化手段５９と同様に、って受信した選択データブロックＳＤＢの第１処理手段による処理、すなわちコード化後、データキャリア２の回路４２に記憶されている識別データブロックＩＤＢを処理する第２処理手段を備えている。第２処理手段の処理後、コード化手段７７と同様に、タイムスロットシーケンスの所定のタイムスロットＴＳにおいて、端子３３を介して受信／送信手段４０に識別データブロックＩＤＢが送られ、更に機構１に送信される。所定のタイムスロットはｎ番目のタイムスロットであり、この場合１≦ｎ≦Ｎおよびｎ＝ｋ２である。
【００５５】
第２デコード化手段６０は、データキャリア２により機構１に送信された識別データブロックＩＤＢが機構１で適切に受信された後、この機構１からデータキャリア２に送信され、端子４３を介して受信される受信通知データブロックＱＤＢを処理する第３処理手段を構成している。この受信通知データブロックにより、データキャリア２の回路４２を「選択」状態にセットすることが可能である。
【００５６】
データキャリア２のタイムスロットレジスタ７６は、第２デコード化手段６０と同様に、第３処理手段による受信通知データブロックＱＤＢの処理後、単一のデータキャリア２または複数のデータキャリア２の回路４２に対して連続的に生成されるタイムスロットの毎回のｎ番目のタイムスロットＴＳを固定するタイムスロット固定手段を構成する。このとき、ｎ＝ｋ２である。
【００５７】
比較器８２および順序付け手段４５は、データキャリア２の回路４２を毎回のｎ番目のタイムスロットＴＳを固定した後、データキャリア２の回路４２に対して固定した毎回のｎ番目のタイムスロットＴＳにおいてのみデータキャリア２と機構１との通信を可能にする制御手段９１を構成しており、このとき、ｎ＝ｋ２である。
【００５８】
メモリ４６およびＣＲＣ８段７４および生成段８７は、データキャリア２または回路４２に対応する受信通知データブロックＱＤＢを生成する生成手段９２を構成する。
【００５９】
以下、図１に示す機構１と図２に示すデータキャリア２の間の通信方法について、例に挙げる通信動作に基づいて詳細に説明する。
【００６０】
このような通信動作は、規則正しく連続する間隔で、例えば機構１の順序付け手段３によって自動的に開始される。通信動作の開始後、機構１の第１生成段６によって選択データブロックＳＤＢが生成され、選択動作を開始する。次に、前回生成された選択データブロックＳＤＢがコード化手段２６によってコード化される。これは同時に、コード化された選択データブロックＳＤＢが変調手段２７によって振幅変調され、その後送信／受信手段３０によって機構１と通信を行っている全てのデータキャリア２と図２に示すデータキャリアに送信されることを意味している。
【００６１】
次に、機構１のタイムスロットカウンタ２４の内容が数値「１」にセットされ、その後タイムスロットシーケンスの第１タイムスロットＴＳ１が実行される。タイムスロットカウンタ２４の内容「１」は、接続２０を介して第２生成段１８に送られる。
【００６２】
通信動作の開始時に機構１によって行われる選択データブロックＳＤＢの送信後、送信された選択データブロックＳＤＢはデータキャリア２の受信／送信手段４０で受信され、復調手段５１によって復調され、更に第１デコード化手段５９によってデコード化される。受信、復調、デコード化された選択データブロックＳＤＢに基づいて、検出手段６５は機構１からデータキャリア２に送信された選択データブロックＳＤＢ内のハッシュ値ＨＶを検出する。その後、このハッシュ値は順序付け手段４５に送られる。
【００６３】
次に、順序付け手段４５は、ハッシュ値ＨＶに基づき、メモリ４６に送られる第２ビットアドレスＢＡ（ＨＶ）２を生成するので、メモリ４６に記憶されている識別データブロックＩＤＢのＰＭ２部分が固定される。次に、例えばこの場合ｋ２＝１である数値ｋ２が、ＣＲＣ８段７４によって決定される。その後、数値ｋ２＝１はタイムスロットレジスタ７６に記憶されるので、第１タイムスロットＴＳ１がデータキャリア２に対して固定される。ここでｋ２＝１であり、制御情報としてＣＲＣ８段８により生成される数値ｋ２は、接続８４を介して比較器８２に送られる。この場合、比較器８４は、第１タイムスロットＴＳ１の実行中に、タイムスロットカウンタ７８から数値ｎ＝１を受信する。比較器８２に送られる２つの数値が同一であれば、比較器は接続８６を介して順序付け手段４５に比較器信号ＣＯＳを送る。その結果、順序付け手段４５は、データキャリア２に対応し、またこのデータキャリアを特徴付ける識別データブロックＩＤＢをメモリ４６が接続４８を介してコード化手段７８に送るよう制御を行う。次に、識別データブロックＩＤＢはコード化手段７１によってコード化され、その後変調手段７３で変調されて、変調手段７３から送信／受信手段４０に送られ、機構１へ送信される。
【００６４】
検出したハッシュ値ＨＶを順序付け手段４５に送り、順序付け手段４５で第２ビット構成ＢＡ（ＨＶ）２を生成した後、ハッシュ値ＨＶに基づく第１ビットアドレスＢＡ（ＨＶ）１がこの場合生成されてメモり４６に送られるので、メモリ４６に記憶されている識別データブロックＩＤＢの部分ＰＭ１が固定される。次に、ＣＲＣ８段７４により制御情報として数値ｋ１が決定される。その後、数値ｋ１は生成段８７に送られるので、生成段８７は、そのビット構成が識別データブロックＩＤＢの部分ＰＭ１によって決まる受信通知データブロックＱＤＢを生成する。生成段８７で生成された受信通知データブロックＱＤＢは、接続９０を介してテスト手段６８に送られる。
【００６５】
選択データブロックＳＤＢの送信後、第１タイムスロットＴＳ１においては、単一のデータキャリア２または複数のデータキャリア２が、選択データブロックを受信して、それぞれ所定のビット構成を有する対応する識別データブロックＩＤＢの送信中に、機構１が送信した選択データブロックＳＤＢに応じて、受信した選択データブロックＳＤＢを機構１に送信するか、あるいはこれを実行するデータキャリア２が無い場合がある。
【００６６】
データキャリア２が送信した識別データブロックＩＤＢは、機構１、つまり送信／受信手段３０によって受信される。次に、受信した各識別データブロックＩＤＢは復調手段３３で復調され、また受信した各識別データブロックＩＤＢはデコードか手段３４でデコード化される。その後、競合検出手段３７は、少なくとも２つの識別データブロックＩＤＢの間で競合が生じているか、または識別データブロックＩＤＢがまだ受信およびデコードされていないかを検出する。検出した場合、競合検出手段３７は順序付け手段３に競合情報ＣＩを送るので、識別データブロックＩＤＢは接続１２を介してメモリ１１に送られることはない。従って、その後で受信通知データブロックＱＤＢが生成手段１０で生成されることはない。
【００６７】
しかしながら、１つの識別データブロックＩＤＢが受信されてデコード化手段３４によってデコード化されたことを競合検出手段３７が検出した場合、デコード化された識別データブロックＩＤＢは接続３６を介して順序付け手段３に送られ、これにより第１タイムスロットＴＳ１で受信した識別データブロックＩＤＢは接続１２を介してメモり１１に送られる。次に、順序付け手段３に含まれ、選択データブロックＳＤＢによりデータキャリア２にすでに送信済みのハッシュ値ＨＶと、またハッシュ値ＨＶに相当するビットアドレスＢＡ（ＨＶ）１とを使用して、識別データブロックＩＤＢの部分ＰＭ１を選択してＣＲＣ８段１５に送る。続いて、識別データブロックＩＤＢの選択したＰＭ１部分を、接続１４を介してメモり１１からＣＲＣ８段１５に送り、部分ＰＭ１の基づいて算出され、第２生成段１８に送られる制御情報として機能する数値ｋ１をＣＲＣ８段の出力１７で得て、受信通知データブロックＱＤＢを生成する。次に、第２生成段１８を使用して、数値ｋ１によって決まるビット構成を有し、第１タイムスロットＴＳ１で識別データブロックを機構１に送信したデータキャリア２に対応する受信通知データブロックＱＤＢが、受信した識別データブロックに応えて生成される。この受信通知データブロックＱＤＢのビット構成は、関連するデータキャリア２に対応し、またメモリ１１に記憶されていた識別データブロックの部分ＰＭ１のみを使用して形成される。
【００６８】
その後、生成された受信通知データブロックＱＤＢは、接続２３を貸してコード化手段２６に送られる。コード化手段２６は受信通知データブロックＱＤＢのコード化を行い、その後コード化された受信通知データブロックＱＤＢは変調手段２７によって変調される。コード化および変調された受信通知データブロックＱＤＢは、送信／受信手段３０によって、生成された受信通知データブロックＱＤＢが対応するデータキャリア２に送信される。
【００６９】
次に、送信された受信通知データブロックＱＤＢは、機構１で送信された受信通知データブロックＱＤＢが対応するデータキャリア２においても受信される。図２に示すデータキャリア２に対応する受信通知データブロックＱＤＢの受信は、復調手段５１に受信した受信通知データブロックＱＤＢを送る受信／送信手段４０によって行われる。復調手段５１は、デコード化を行う第２デコード化手段６０に復調した受信通知データブロックＱＤＢを送り、次にデコード化された受信通知データブロックＱＤＢはテスト手段６８に送られる。
【００７０】
機構１によりデータキャリア２に送信された受信通知データブロックＱＤＢはテスト手段６８に送られたときに、比較手段として構成されているテスト手段６８は機構１からデータキャリア２に送信された受信通知データブロックＱＤＢと生成段８７で生成された受信通知データブロックＱＤＢとを比較する。機構１によりデータキャリア２に送られた受信通知データブロックＱＤＢに悪影響を与えるものがなければ、テスト手段６８に送られた２つの受信通知データブロックＱＤＢは同一である。次に、テスト手段６８は、順序付け手段４５に「受信通知有効」信号ＱＶを出力する。この「受信通知有効」信号により、データキャリア２は「選択」状態に設定される。
【００７１】
選択データブロックＳＤＢの送信後、２つのデータキャリア２が第１タイムスロットＴＳ１で送信された選択データブロックＳＤＢを受信することができる。各データキャリアは、各ＰＭ２部分が対応するそれぞれの識別データブロックＩＤＢ１およびＩＤＢ２を有する。そのため、２つのデータキャリア２に対して数値ｋ２＝１が決定されるので、それぞれのデータキャリア２は第１タイムスロットＴＳ１で各識別データブロックＩＤＢ１およびＩＤＢ２を送信する。この場合、この２つのデータキャリア２のうち第１のデータキャリアは機構１の近くに位置しているが、第２のデータキャリアは機構１からかなり離れているので、機構１は第１のデータキャリア２からの識別データブロックＩＤＢ１のみを受信する。第１データキャリア２から受信した識別データブロックＩＤＢ１を使用して、この識別データブロックＩＤＢ１のＰＭ１の部分に相当する制御情報、すなわち数値ｋ１が決定され、この数値ｋ１、つまりＰＭ１の部分によって決まるビット構成を有する受信通知データブロックＱＤＢ１が生成される。数値ｋ１によってビット構成が決まる受信通知データブロックＱＤＢ１は、機構１によって、第１データキャリア２および第２データキャリア２に送信される。この２つのデータキャリアにおいて、受信通知データブロックＱＤＢ１およびＱＤＢ２も生成される。そのビット構成は、識別データブロックＩＤＢ１およびＩＤＢ２にそれぞれ基づいている。第１タイムスロットＴＳ１の固定において重要である識別データブロックＩＤＢ１およびＩＤＢ２のそれぞれのＰＭ２部分が２つのデータキャリア２に対して同一であっても、２つのデータキャリア２の識別データブロックＩＤＢ１およびＩＤＢ２の部分ＰＭ１は、ＰＭ２部分が一致していても異なる可能性が高いと考える必要がある。そのため、第１データキャリア２においてのみ受信通知データブロックＱＤＢ１が生成され、また第２データキャリア２では別の受信通知データブロックＱＤＢ２が生成されるので、機構１で送信された受信通知データブロックＱＤＢ１は機構１の近くに位置する第１データキャリア２に対してのみ有効であり、機構１に近い位置のデータキャリア２のみが認識、すなわち「選択」状態に設定され、これに対して機構１から離れている第２データキャリア２は認識されないと見なす必要がある。機構１から離れているデータキャリア２の不当認識は完全に防がれる。そのため、例えば８ビットしかない短いデータブロック長さの受信通知データブロックＱＤＢが使用されているにもかかわらず、機構１が認識しないデータキャリア２が機構１と通信可能な範囲内にあっても、単一のデータキャリア２のみが常に適切にエラーのない状態で認識される。このような認識されないデータキャリア２は機構１から比較的遠くに離れているので、機構１からデータブロックを受信できても、機構１にデータブロックを送信することはできない。
【００７２】
第１タイムスロットＴＳ１での上記の動作は別のタイムスロットＴＳ２、ＴＳ３〜ＴＳＮでも行われ、この後、データキャリア２の選択と認識を行う通信動作は終了する。
【００７３】
ちなみに、このような「選択」状態にあるデータキャリア２の選択と認識を行う通信動作の後、読み出し動作中に選択されたデータキャリア２からデータキャリア２に記憶されているデータを読み出して機構１に送信する読み出し動作や、機構１にあるデータを選択されたデータキャリア２に送信して、これらのデータキャリア２のメモリに書き込む書き込み動作などの他の通信動作を実行してもよい。
【００７４】
（産業上の利用可能性）
上記から明らかなように、図１の機構１および図２のデータキャリア２においては、簡単な手段のみを使用し、関連するデータキャリア２にのみ対応する受信通知データブロックＱＤＢを機構１によってこのデータブロック２に送信してデータキャリア２の選択認識を行うことができ、また受信通知データブロックＱＤＢは関連するデータブロック２に対応する識別データブロックＩＤＢの部分ＰＭ１のみを使用して形成されるので、データブロック長さの短い受信通知データブロックＱＤＢによってこの認識を行うことが可能となる。このようなデータブロック長さの短い受信通知データブロックの利点は主に、機構１からデータキャリア２への送信に要する送信時間が短縮され、また実際に機構１からデータキャリア２へこのような受信通知データブロックＱＤＢを十分に送信できるよう可能な限り変調工程を減少できることにある。これは、送信で使用されるキャリア信号ＣＳの側波帯のレベルを可能な限り下げるという点においては有利である。
【図面の簡単な説明】
【図１】  本発明による実施例における書き込み／読み出し機構の重要な部分を示すブロック図である。
【図２】  本発明による実施例におけるデータキャリアの重要部分とこのデータキャリアの集積回路を示すブロック図である。
【符号の説明】
１  書き込み／読み出し機構
２  トランスポンダ
ＳＤＢ  選択データブロック
ＩＤＢ  識別データブロック
ＱＤＢ  受信通知データブロック
ＰＭ１  一部
【図１】
0004401570.tif 000002
【図２】
0004401570.tif 000003